(57)【特許請求の範囲】
【請求項１】
表示部と；
前記表示部に表示される表示項目を選択操作する操作部と；
前記表示部に、それぞれ負荷に対応付けられていて前記負荷を操作するスイッチが含まれる複数の操作ページのうちの１つの前記操作ページを表示するとともに、それぞれ前記操作ページに対応付けされていて前記表示部に表示させる前記操作ページを選択する複数の操作ページ選択部を表示し、かつ、前記操作ページの前記操作ページ選択部には前記操作ページに含まれる前記スイッチに対応付けされている前記負荷の状態を表示するとともに、選択されている前記操作ページ選択部と対応付けされている前記操作ページとを連続した状態で表示する表示制御部と；
を具備することを特徴とするスイッチ装置。
【請求項２】
複数の負荷と；
前記負荷を制御する親機と；
前記親機と通信し、前記負荷を操作する請求項１記載のスイッチ装置と；
を具備することを特徴とする照明システム。
【発明の詳細な説明】
【技術分野】
【０００１】
本発明の実施形態は、負荷を操作するスイッチ装置、およびスイッチ装置を用いた照明システムに関する。
【背景技術】
【０００２】
従来、例えば照明装置を操作するスイッチ装置として、それぞれ照明装置に対応付けられた複数のスイッチを表示部に表示し、利用者によるスイッチの操作により照明装置を点灯・消灯するとともに、スイッチに照明装置の点灯・消灯状態を表示するようにしたスイッチ装置が知られている。
【０００３】
このようなスイッチ装置では、表示部に一度に表示できるスイッチの数には限りがあるため、多数のスイッチを必要とする場合には、それぞれスイッチが含まれる複数の操作ページを設け、択一的に選択される操作ページのスイッチを表示するようにしている。
【０００４】
しかしながら、ある操作ページが表示されている状態では、その操作ページのスイッチに表示される照明装置の点灯・消灯状態を確認することはできるが、表示されていない操作ページのスイッチに表示される照明装置の点灯・消灯状態は確認することができない。そのため、確認したい操作ページを１ページずつ表示させながら、スイッチに表示される照明装置の点灯・消灯状態を確認しなければならず、確認に手間を要している。また、例えば全ての照明装置を消灯させるような場合、操作間違い等で確認していない操作ページが生じると、その操作ページのスイッチに対応付けられている照明装置が点灯したままとなるおそれがある。
【先行技術文献】
【特許文献】
【０００５】
【特許文献１】特許第５３３０８９７号公報
【発明の概要】
【発明が解決しようとする課題】
【０００６】
本発明が解決しようとする課題は、ある操作ページが表示されている状態でも、表示されていない操作ページのスイッチに対応付けられている負荷の状態を確認できるスイッチ装置および照明システムを提供することである。
【課題を解決するための手段】
【０００７】
実施形態のスイッチ装置は、表示部、操作部および表示制御部を備える。操作部は、表示部に表示される表示項目を選択操作する。表示制御部は、表示部に、それぞれ負荷に対応付けられていて負荷を操作するスイッチが含まれる複数の操作ページのうちの１つの操作ページを表示する。表示制御部は、表示部に、それぞれ操作ページに対応付けされていて表示部に表示させる操作ページを選択する複数の操作ページ選択部を表示する。表示制御部は、操作ページの操作ページ選択部に操作ページに含まれるスイッチに対応付けされている負荷の状態を表示するとともに、選択されている操作ページ選択部と対応付けされている操作ページとを連続した状態で表示する。
【発明の効果】
【０００８】
本発明によれば、表示部にある操作ページが表示されている状態でも、表示されていない他の操作ページのスイッチに対応付けられている負荷の状態を確認可能となることが期待できる。
【図面の簡単な説明】
【０００９】
【図１】第１の実施形態を示すスイッチ装置の正面図である。
【図２】同上スイッチ装置のブロック図である。
【図３】同上スイッチ装置が有するスイッチ情報の説明図である。
【図４】同上スイッチ装置が有する操作ページ情報の説明図である。
【図５】同上スイッチ装置を用いた照明システムのブロック図である。
【図６】第２の実施形態を示すスイッチ装置の正面図である。
【発明を実施するための形態】
【００１０】
以下、第１の実施形態を、図１ないし図５を参照して説明する。
【００１１】
図５に照明システム10の構成図を示す。照明システム10は、オフィスや店舗等に設置された複数の照明装置の制御や監視を実現するシステムである。
【００１２】
照明システム10は、照明システム10全体の制御を行なう制御装置である親機11を備えている。親機11には、端末装置12が接続される。さらに、親機11には、伝送線13を通じて複数のスイッチ装置14および負荷としての複数の照明装置15が接続されている。なお、図５に示す照明システム10が有するスイッチ装置14、照明装置15の数は、一例に過ぎず、照明システム10の構成に応じて適宜変更可能である。
【００１３】
親機11は、伝送線13を通じてスイッチ装置14と互いに通信し、スイッチ装置14の操作に応じた操作信号をスイッチ装置14から受信したり、照明装置15の点灯・消灯等の状態の情報をスイッチ装置14に送信する。さらに、親機11は、伝送線13を通じて照明装置15と互いに通信可能とし、照明装置15の点灯・消灯等を制御する制御信号を照明装置15に送信したり、照明装置15の点灯・消灯等の情報を照明装置15から受信する。そして、親機11は、スイッチ装置14からの操作信号に基づいて、スイッチ装置14に対応付けられている照明装置15に対して制御信号を送信し、照明装置15の点灯・消灯等を制御する。
【００１４】
端末装置12は、照明システム10の設定を行なう、例えば、パーソナルコンピュータ、タブレット端末および携帯端末等である。端末装置12は、例えば、親機11に対してスイッチ装置14および照明装置15の対応付けを設定する。
【００１５】
スイッチ装置14は、照明装置15の点灯・消灯等の状態を操作するものである。スイッチ装置14は、利用者による操作によって照明装置15の点灯・消灯等を受け付けると、受け付けた点灯・消灯等を示す操作信号を親機11に送信する。さらに、スイッチ装置14は、親機11で制御する照明装置15の点灯・消灯等の状態の情報を親機11から受信する。
【００１６】
照明装置15は、例えば、オフィスや店舗等に設置された照明装置である。例えば、照明装置15は、ＬＥＤ等を光源とする照明器具、光源への電源の供給する電源部、および電源部を制御する制御部を備えている。制御部は、親機11から受信する制御信号に基づいて電源部を制御することにより、光源の点灯・消灯等を行なう。
【００１７】
次に、図１にスイッチ装置14の正面図を示す。
【００１８】
スイッチ装置14は、例えば壁面に設置される。スイッチ装置14は、本体19、表示部20、および表示部20に表示される表示項目に対する選択する操作部21を備えている。本体19は、例えば壁面に設置される。表示部20は、例えば液晶表示ディスプレイや有機ＥＬディスプレイによって構成されている。操作部21は、表示部20の表面に配置される透過形のタッチパネルによって構成され、表示部20に表示された表示項目に対する利用者のタッチ操作を検出して操作を受け付ける。
【００１９】
表示部20の画面には、スイッチ23が含まれる操作ページ24が表示される。操作ページ24は複数存在し、複数の操作ページ24のうちの１つが択一的に表示部20に表示される。各操作ページ24の各スイッチ23は、それぞれ照明装置15と対応付けされていて、スイッチ23を操作することにより対応付けされている照明装置15の点灯・消灯等を操作できるように構成されている。なお、各スイッチ23には、照明装置15が１つずつ対応付けされていてもよいし、複数の照明装置15が対応付けされていてもよい。また、図１には操作ページ24に９つのスイッチ23が含まれる場合を示しているが、スイッチ23の数は９つよりも多くても少なくてもよい。例えば、多数の照明装置15が含まれる広いエリアに対応付けされるスイッチ23の大きさは他のスイッチ23の大きさよりも大きくしてもよい。
【００２０】
表示部20の画面には、操作ページ24とともに、それぞれ操作ページ24に対応付けされていて表示部20に表示させる操作ページ24を選択するための複数の操作ページ選択部25が表示される。操作ページ選択部25は、操作ページ24の表示領域の下側から突出するように表示されるタブによって構成されている。複数の操作ページ選択部25は操作ページ24の表示領域の下側に沿って並列に配列されているとともに、全ての操作ページ選択部25が常に表示されている。そのため、いずれの操作ページ24が表示されていても、全ての操作ページ選択部25が表示されていて、いずれの操作ページ選択部25も選択操作可能としている。そして、任意の操作ページ選択部25を操作することにより、操作された選択ページ選択部25の操作ページ24が表示部20に表示される。
【００２１】
表示部20の画面には、操作ページ24および複数の操作ページ選択部25とともに、設定26が表示される。設定26が操作されることにより、例えば、表示部20の表示の明るさや、スイッチ23と照明装置15との対応付け、操作ページ24とスイッチ23との対応付け等を設定する。
【００２２】
図１には、各スイッチ23に「スイッチ１」、「スイッチ２」…と名称を表示しているが、任意の名称に設定してもよい。例えば、照明装置15の設置場所に応じて名称を設定してもよい。この設定はスイッチ装置14または端末装置12で行うことができる。
【００２３】
各スイッチ23には、各スイッチ23に対応付けられている照明装置15が点灯していることを表示する点灯確認表示27、および各スイッチ23に対応付けられている照明装置15が消灯していることを表示する消灯確認表示28の領域が設けられている。点灯確認表示27と消灯確認表示28とは、表示する領域が異なり、例えば表示部20がカラー表示可能であれば色も異ならせてもよい。色を異ならせる場合、例えば、点灯確認表示27は赤色、消灯確認表示28は緑色としてもよい。なお、点灯確認表示27は表示し、消灯確認表示28は非表示としてもよい。
【００２４】
図１には、各操作ページ選択部25に「グループ１」、「グループ２」…と表示しているが、任意の名称に設定してもよい。例えば、照明装置15の設置場所毎に各操作ページ24のスイッチ23を対応付けしている場合には、設置場所の名称を設定してもよい。この設定はスイッチ装置14または端末装置12で行うことができる。
【００２５】
各操作ページ選択部25には、各操作ページ24に含まれるスイッチ23に対応付けられている照明装置15の点灯・消灯等の状態を表示する状態表示29の領域が設けられている。状態表示29は、例えば、操作ページ24に含まれるスイッチ23のいずれか１つでも対応付けられている照明装置15が点灯していれば表示し、操作ページ24に含まれる全てのスイッチ23に対応付けられている照明装置15が消灯していれば非表示とする。例えば表示部20がカラー表示可能であれば、状態表示29の表示はスイッチ23の点灯確認表示27と同じ色で表示することが好ましい。例えば、状態表示29の表示はスイッチ23の点灯確認表示27と同じ赤色とすることが好ましい。なお、状態表示29は、操作ページ24に含まれる全てのスイッチ23に対応付けられている照明装置15が消灯している場合、非表示とすることなく、照明装置15が点灯している場合とは異なる形態であれば表示してもよく、例えばスイッチ23の消灯確認表示28と同じく緑色表示してもよい。また、本実施形態では、状態表示29は、操作ページ選択部25の下側に沿った領域に表示されるが、例えば、操作ページ選択部25の下側から側部に亘るＬ形の領域に表示したり、操作ページ選択部25内に三角形や円形を表示してもよい。
【００２６】
次に、図２にスイッチ装置14のブロック図を示す。
【００２７】
スイッチ装置14は、通信部31、表示部20、操作部21、記憶部32、および制御部33を有する。また、記憶部32は、スイッチ情報34、および操作ページ情報35を記憶する。
【００２８】
まず、記憶部32が記憶するスイッチ情報34に格納される情報について説明する。スイッチ情報34は、スイッチ23に対応付けられた照明装置15に関する情報が格納されている。例えば、図３にスイッチ情報34に格納される情報の一例を示す。スイッチ情報34は、スイッチＩＤ、名称、対応照明の各項目を有する。スイッチＩＤの項目は、スイッチ23を識別する識別情報を記憶する領域である。スイッチ23には、それぞれを識別する識別情報として固有のスイッチＩＤが付与されている。スイッチＩＤの項目には、スイッチ23のスイッチＩＤが格納される。名称の項目は、スイッチ23に表示する名称を記憶する領域である。対応照明の項目は、スイッチＩＤのスイッチ23に対応付けされる照明装置15を識別する識別情報を記憶する領域である。照明装置15には、それぞれを識別する識別情報として固有のＩＤが付与されている。対応照明の項目には、対応付けされる照明装置15のＩＤが格納される。例えば、図３の例では、スイッチＩＤが「Ｓ１」のスイッチ23に、名称として「エリア１」、対応照明として「照明１〜４」が設定されている。なお、対応照明の項目は、スイッチＩＤと対応照明との関係が親機11に設定されている場合にはスイッチ装置14に記憶しなくてもよい。
【００２９】
記憶部32が記憶する操作ページ情報35に格納される情報について説明する。操作ページ情報35は、操作ページ24に表示するスイッチ23に関する情報が格納されている。例えば、図４に操作ページ情報35に格納される情報の一例を示す。操作ページ情報35は、操作ページ項目およびスイッチ項目を有する。操作ページ項目は、操作ページ24を識別する識別情報としてページＩＤを記憶する領域である。スイッチ項目は、ページＩＤの操作ページ24に表示するスイッチ23のスイッチＩＤを記憶する領域である。図４の例では、操作ページ「Ｐ１」の操作ページ24には、スイッチＩＤ「Ｓ１〜Ｓ９」のスイッチ23が設定されている。
【００３０】
続いて、図２において、通信部31は、伝送線13を通じて、親機11や、他のスイッチ装置14および照明装置15との間で通信を行うインタフェースである。例えば、通信部31は、親機11を介して照明装置15に対して、スイッチＩＤおよび点灯や消灯等の操作信号を送信する。そして、スイッチ装置14から操作信号を受信した親機11は、親機11に予め設定されたスイッチＩＤと照明装置15との対応関係に基づいて、スイッチＩＤに対応する照明装置15に対して制御信号を送信する。
【００３１】
操作部21は、表示部20に対するタッチ操作を検出し、検出された操作情報を制御部33へ出力する。そして、制御部33は、操作部21からの操作情報に基づいて、表示部20に表示されている表示項目のうちのどの表示項目に対する操作なのかを特定する。なお、スイッチ装置14、操作部21として物理的なスイッチが設けられていてもよい。
【００３２】
制御部33は、通信部31と表示部20と操作部21と記憶部32と接続される。制御部33は、各種の処理手順などを規定したプログラムを記憶する内部メモリを有し、種々の処理を制御する。制御部33は、例えば、ＡＳＩＣ、ＦＰＧＡ、ＣＰＵ、ＭＰＵなどである。
【００３３】
制御部33は、表示部20の表示を制御する表示制御部36を有する。表示制御部36は、表示部20に、スイッチ23を含む操作ページ24、複数の操作ページ選択部25および設定26を表示する。例えば、表示制御部36は、表示部20に、それぞれ照明装置15に対応付けられていて照明装置15を操作するスイッチ23が含まれる複数の操作ページ24のうちの１つの操作ページ24を表示するとともに、それぞれ操作ページ24に対応付けされていて表示部20に表示させる操作ページ24を選択する複数の操作ページ選択部25を表示する。さらに、表示制御部36は、操作ページ24の操作ページ選択部25に、操作ページ24に含まれるスイッチ23に対応付けされている照明装置15の状態に対応した状態表示29を表示する。照明装置15の状態は、スイッチ切り換え状態であって、照明装置15の点灯、消灯である。なお、本実施形態では、全ての操作ページ選択部25に状態表示29を表示している。しかし、表示部20に表示している操作ページ24のスイッチ23を見れば照明装置15の状態を確認できるため、表示部20に表示している操作ページ24の操作ページ選択部25には状態表示29を表示しなくてもよい。そして、表示制御部36は、図１に示す操作ページ24の操作ページ選択部25以外の操作ページ選択部25が操作された場合、操作された操作ページ選択部25の操作ページ24を表示部20に表示する。
【００３４】
次に、スイッチ装置14の作用を説明する。
【００３５】
図１において、表示部20には、「グループ１」の操作ページ選択部25に対応付けられた操作ページ24が表示されている。「グループ１」の操作ページ選択部25は操作ページ24と連続した状態（区画する線が入らない）に表示され、「グループ１」の操作ページ選択部25以外の操作ページ選択部25は操作ページ24と連続せず（区画する線が入る）、表示部20に表示された操作ページ24が「グループ１」の操作ページ選択部25に対応付けられた操作ページ24であることを利用者が把握することができる。
【００３６】
操作ページ24には、複数のスイッチ23が表示されている。さらに、各スイッチ23に対応付けられている照明装置15が点灯しているスイッチ23には点灯確認表示27が表示され、各スイッチ23に対応付けられている照明装置15が消灯しているスイッチ23には消灯確認表示28が表示されている。
【００３７】
点灯確認表示27と消灯確認表示28とは、表示する領域が異なり、照明装置15が点灯しているのか消灯しているのかを確認しやすい。さらに、表示部20がカラー表示可能である場合、点灯確認表示27と消灯確認表示28とで色を異ならせ、例えば、点灯確認表示27は赤色表示、消灯確認表示28は緑色表示とすることにより、照明装置15が点灯しているのか消灯しているのかを利用者がより把握しやすくできる。
【００３８】
また、表示部20には、表示されている操作ページ24に対応付けられている操作ページ選択部25、および表示されていない操作ページ24に対応付けられている操作ページ選択部25を含めて、全ての操作ページ選択部25が表示されている。
【００３９】
各操作ページ選択部25には、各操作ページ24に含まれるスイッチ23に対応付けられている照明装置15の点灯している操作ページ選択部25には状態表示29が表示され、各操作ページ24に含まれるスイッチ23に対応付けられている照明装置15の消灯している操作ページ選択部25には状態表示29が非表示とされる。
【００４０】
状態表示29は、操作ページ24に含まれるスイッチ23のいずれか１つでも対応付けられている照明装置15が点灯していれば表示し、操作ページ24に含まれる全てのスイッチ23に対応付けられている照明装置15が消灯していれば非表示とする。さらに、表示部20がカラー表示可能である場合、状態表示29の表示はスイッチ23の点灯確認表示27と同じ色で表示し、例えば、状態表示29の表示はスイッチ23の点灯確認表示27と同じ赤色で表示する。これにより、照明装置15が点灯していることを利用者が把握しやすくできる。
【００４１】
そして、各操作ページ選択部25の状態表示29を確認することにより、表示部20に表示されている操作ページ24のスイッチ23に対応付けられている照明装置15の点灯、消灯を確認できることに加えて、表示部20に表示されていない操作ページ24に対応付けられている照明装置15の点灯、消灯を確認することができる。
【００４２】
本実施形態のスイッチ装置14によれば、表示部20にある操作ページ24が表示されている状態でも、表示されていない他の操作ページ24のスイッチ23に対応付けられている照明装置15の状態を確認することができる。
【００４３】
そのため、確認のためだけに操作ページ24を１ページずつ表示させる作業を省略することができる。また、例えば全ての照明装置15を消灯させるような場合、表示されていない他の操作ページ24のスイッチ23に対応付けられている照明装置15の状態を確認できるため、全ての照明装置15を確実に消灯させることができる。
【００４４】
次に、図６に第２の実施形態を示す。なお、第１の実施形態と同じ構成については、同じ符号を用い、その構成および作用効果についての説明を省略する。
【００４５】
表示部20には、点灯している照明装置15に対応付けられているスイッチ23に対して、消灯している照明装置15に対応付けられているスイッチ23は視覚的に奥まって見えるように表示される。これは、スイッチ23に陰影等を付することによってスイッチ23が奥まって見えるように表示される。
【００４６】
そのため、スイッチ23の点灯確認表示27はスイッチ23が奥まっておらず手前側に突出しているように見え、スイッチ23の消灯確認表示28はスイッチ23が奥まって見える。したがって、スイッチ23の陰影や立体感によって、スイッチ23に対応付けられている照明装置15の点灯、消灯を利用者が把握することができる。
【００４７】
また、表示部20に表示されている操作ページ24の操作ページ選択部25は操作ページ選択部25全体に状態表示29が表示され、表示部20に表示されていない操作ページ24のうちのスイッチ23に対応付けられている照明装置15が点灯している操作ページ24の操作ページ選択部25には円形の状態表示29が表示される。
【００４８】
この場合にも、表示部20にある操作ページ24が表示されている状態でも、表示されていない他の操作ページ24のスイッチ23に対応付けられている照明装置15の状態を確認することができる。
【００４９】
なお、「スイッチ７」のスイッチ23は、他のスイッチ23よりも大きく、他のスイッチ23の２つ分の大きさとなっている。これは、例えば、多数の照明装置15が含まれる広いエリアに対応付けされるスイッチ23の大きさを他のスイッチ23の大きさよりも大きくしているものであり、スイッチ23の大きさと照明装置15の点灯消灯を切り換えようとするエリアとの対応関係を把握しやすくすることができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
10    照明システム
11    親機
14    スイッチ装置
15    負荷としての照明装置
20    表示部
21    操作部
23    スイッチ
24    操作ページ
25    操作ページ選択部
36    表示制御部
【図１】
0006468419.tif 000002
【図２】
0006468419.tif 000003
【図３】
0006468419.tif 000004
【図４】
0006468419.tif 000005
【図５】
0006468419.tif 000006
【図６】
0006468419.tif 000007